(57)【要約】【課題】本発明は、ローダとスライドカムにおけるギアの切替を不要として光ディスクを簡易な構成とし、光ディスクのチャッキングを正確に行うことができ、さらに光ディスクをローダに載置してから光ディスクを再生するまでの時間を短縮することのできるディスク再生装置を提供する。【解決手段】光ディスク１０を載置して水平方向に移動するローダ１と、光ディスク１０に記録されたデータを読み取る再生手段９を保持したトラバース部２と、ローダ１の動作に連動してトラバース部２を上下動させる駆動手段を具備し、光ディスク１０に記録されたデータを再生する光ディスク再生装置であって、駆動手段は、ローダの移動に伴ってトラバース部２を上下動させるカム機構を備える。【選択図】　図７
2004118983.tif 000002
【特許請求の範囲】
【請求項１】
光ディスクを載置して水平方向に移動するローダと、光ディスクに記録されたデータを読み取る再生手段を保持したトラバース部と、前記ローダの動作に連動して前記トラバース部を上下動させる駆動手段を具備し、光ディスクに記録されたデータを再生する光ディスク再生装置において、
前記駆動手段は、該ローダの移動に伴って前記トラバース部を上下動させるカム機構を備えること
を特徴とする光ディスク再生装置。
【請求項２】
請求項１記載の光ディスク再生装置において、前記カム機構は、前記ローダに設けられたボスと、前記トラバース部に設けられ、前記ボスと噛み合うカムとから構成されることを特徴とする光ディスク再生装置。
【請求項３】
光ディスクを載置して水平方向に移動するローダと、光ディスクに記録されたデータを読み取る再生手段を保持したトラバース部と、前記ローダの動作に連動して前記トラバース部を上下動させる駆動手段を具備し、光ディスクに記録されたデータを再生する光ディスク再生装置において、
前記駆動手段によって上下動駆動される前記トラバース部に載置されるターンテーブルは、前記ローダの移動に伴って上下動駆動され、前記ローダが完全に引き込んだ状態でクランパと共に光ディスクを狭持していること
を特徴とする光ディスク再生装置。
【請求項４】
光ディスクを載置して水平方向に移動するローダと、光ディスクに記録されたデータを読み取る再生手段を保持したトラバース部と、前記ローダの動作に連動して前記トラバース部を上下動させる駆動手段を具備し、光ディスクに記録されたデータを再生する光ディスク再生装置において、
前記駆動手段によって上下動駆動される前記トラバース部に載置されるターンテーブルは、前記ローダの引き込み移動に伴って、少なくとも最初の段階では静止状態を維持し、中間の段階では上方向駆動され、そして最終段階ではクランパに設けた磁石によって吸引されて該クランパと共に光ディスクを狭持すること
を特徴とする光ディスク再生装置。
【請求項５】
請求項４記載の光ディスク再生装置において、前記ターンテーブルは上方に向かって凸部を有し、該凸部は前記ローダの引き込み移動の途中で光ディスクの中央部の孔部に入り込むことを特徴とする光ディスク再生装置。
【発明の詳細な説明】
【０００１】
【発明の属する技術分野】
本発明は、光ディスク再生装置に関する。
【０００２】
【従来の技術】
従来の光ディスク再生装置は、特許文献１に記載されているようなディスク装置のロード機構を備え、光ディスクに記録されているオーディオデータ、ビデオデータ等を再生する光ディスク再生装置が知られている。この光ディスク再生装置は、光ディスクをローディングトレイに載置し、ローディングトレイが水平移動することによって装置本体内部に光ディスクを収納し、ディスクホルダー（クランパ）とターンテーブルによって光ディスクを狭持し、この状態で光ディスクを回転させ、光ピックアップがレーザ光を照射し、光ディスクからの反射光を受光することにより、光ディスクに記録されたデータを再生する構成となっている。
【０００３】
【特許文献１】
特開平１１−３５３７５１号公報
【０００４】
【発明が解決しようとする課題】
従来の光ディスク再生装置にあっては、光ディスクをチャッキングするために、ローダに載置された光ディスクをローディング装置内に引き込み、完全に引き込んだ状態においてトラバース部を上昇させる。このとき、ローディングギアはまずローダと噛み合っており、完全にローダを引き込ませる。次にローディングギアはスライドカムと噛み合ってスライドカムをスライド動作させると共にトラバース部を上昇させて光ディスクのチャッキングが完了となる。
【０００５】
しかしながら、ローディングギアはスライドカムとローダの２つの部品を切り替えて駆動しているために動作が複雑となるため、ギア間のバックラッシ等によるローダの引き込みタイミングとトラバース部の上昇タイミングのずれにより、光ディスクのチャッキング不良が発生していた。また、ローダが完全に閉じてからスライドカムをスライド動作させ、トラバース部を上昇させているため、光ディスクをローダに載置してから光ディスクを再生するまでの時間を要していた。また、ローダおよびトラバースホルダのほかに当該トラバースホルダを上昇させるためのスライドカムを備える必要があるため、光ディスク再生装置の製造コストが高いという問題があった。
【０００６】
本発明は、ローダとスライドカムにおけるギアの切替を不要として光ディスク再生装置を簡易な構成とし、光ディスクのチャッキングを正確に行うことができ、さらに光ディスクをローダに載置してから光ディスクを再生するまでの時間を短縮することのできる光ディスク再生装置を提供することを目的とする。
【０００７】
【課題を解決するための手段】
ローダの引き込み動作とトラバース部の上昇動作を連携させるために両部品にカム機構を構成し、カム契合させて駆動する。また、ローディングモータはローダのみを駆動するようにする。
【０００８】
【発明の実施の形態】
以下、本発明の実施例を図面に基づいて説明する。
図１は、ローダ１の概略構成の平面図、図２は図１の正面図、図３は図１の側面図を示し、図４はローダに組み合わされるトラバース部２の概略構成の平面図、図５は図４の正面図、図６は図４の側面図を示す。
【０００９】
これらの図において、ローダ１には光ディスク１０（図７に示す）を載置する凹部６および孔部８が形成される。そして、ローダ１の下面部には両側部に前ボス１１（１１ａ、１１ｂ）および後ボス１２（１２ａ、１２ｂ）が設けられる。トラバース部２には、前述のボス１１、１２に対応する位置に前カム１３（１３ａ、１３ｂ）および後カム１４（１４ａ、１４ｂ）が設けてある。
【００１０】
前カム１３、後カム１４は、それぞれターンテーブル回避時の高さおよびチャッキング時の高さに対応した溝部２１、２２および下方に傾斜して両者を接続した形の中央の溝部２３からなる溝構成とされる。ターンテーブル回避時の高さに設けられる溝部２１は、外方に解放され、チャッキング時の高さに設けられる溝部２２は一方が塞止されている。
【００１１】
このようなボスとカムとの構成によってカム機構（構造）が構成され、前ボス１１は前カム１３に、そして後ボス１２は後カム１４に噛み合うことができる。従って、各ボスが各カムに噛み合う（契合）ことによってトラバース部２の駆動手段が形成され、該駆動手段はローダ１の水平移動に伴ってトラバース部２を下方向に駆動することになる。
【００１２】
尚、各ボス１１、１２の高さはローダ１上の光ディスク載置面である凹部６よりも低い位置とされ、また各ボス１１、１２の左右方向の位置は、前ボス１１と後ボス１２とで左右位置をずらしてある。
【００１３】
カム１３、１４の溝形状は光ディスクをローディング１０した時に光ディスク１０の情報面とターンテーブル５（図７に示す）が接触しないようにしてトラバース部２が降下および上昇できる構成とする。
【００１４】
図７から図１０は、光ディスク再生装置１００の構成および動作を示す図である。それぞれの図において、（ａ）はローダ１とトラバース部２の移動位置関係、（ｂ）はターンテーブル５の上下動移動状況、これに伴う光ディスク１０をチャッキングする工程を示す。図７は、ローダが矢印Ｂ方向へオープンした時の配置状況を示し、この段階ではローディングギア（図示しない）によってローダ１を矢印Ａ方向へ引き込み始める（初期段階）。
【００１５】
図８は各ボス１１、１２とカム１３、１４との噛み合い開始によってローダ１とトラバース部２とが結合し、トラバース部２が上方向に駆動されんとする状態を示す。図９は、ローダ１が更に矢印Ａ方向へ引き込まれ、トラバース部２を上方向（鉛直方向）に上昇させた状態を示す（中間段階）。ローダ１のボス１１、１２はトラバース部２のカム１３、１４の溝の斜面に当接し、トラバース部２を上方向に押し上げる。図１０は、ローダ１が矢印Ａ方向に完全に引き込まれ、ターンテーブル５の上昇に伴って光ディスク１０がチャッキングされた状態を示す（最終段階）。このときに、ローダ１のボス１１、１２はトラバース部２のカム１３、１４の下端にそれぞれ位置するため、トラバース部２はこの位置で保持される。これにより光ディスク１０のチャッキング位置への搬送が完了する。
【００１６】
図１１（ａ）〜（ｃ）ないし、図１２（ａ）、（ｂ）は、それぞれ図７〜図１０に示す光ディスク再生装置の動作の過程においてのターンテーブル５およびクランパ７の動作の過程を示す断面図である。
これらの図において、ディスク再生装置１００は、筐体４の内部にローダ１、トラバース部（トラバースホルダ）２、保持部３、ターンテーブル５、再生部（再生手段）９およびクランパ７を備える。
【００１７】
ローダ１は、前述のように光ディスク１０を載置する凹部６と、上下に貫通する孔部８を備える。また、ローダ１は、左右端の前方および後方にそれぞれ下方に突出すると共に後端が内側に突出する前ボス１１と後ボス１２を備える。ローダ１は図示しないローディングモータにより、ローダ１を筐体４から前方へオープンさせる矢印Ｂ方向およびローダ１を筐体４の内部へ引き込む矢印Ａ方向へスライドする。
【００１８】
トラバース部２は、左右端の前端および後端にそれぞれ上方に突出する前カムおよび後カム１４を備える。トラバース部２は、再生部９および図示しないスピンドルモータを保持する。スピンドルモータは、図示しない制御部の制御により回転するシャフトを備える。シャフトの先端には、ターンテーブル５が固定されている。ターンテーブル５は、ローダ１により搬送された光ディスク１０をクランパ７とにより狭持し、スピンドルモータが回転することにより、狭持した光ディスク１０を回転させる。再生部９は制御部の制御により、ターンテーブル５およびクランパ７に狭持され回転された光ディスク１０に記録されているデータを図示しない光ピックアップにより読み取り、読み取ったデータを再生する。
保持部３は、底面が筐体４に固定され、トラバース部２が自在に上下移動できるようにトラバース部２の外周を保持する。
【００１９】
筐体４は、下方に突出し円環状の孔を備えるクランパ保持部２１を備える。図１１（ａ）に示すように、クランパ７は円盤型を形成し、外周がクランパ保持部２１によって保持される。クランパ７は、下面の中央に凸部２２を備え、その周囲に磁石からなるマグネット２３を備える。
【００２０】
ターンテーブル５は、鋼材から成り円盤型を形成する。ターンテーブル５は、上方へ突出する凸部３１を備える。凸部３１の中央には凹部３２が形成される。凸部３１の外周は、傾斜を成すテーパ３３を備える。テーパ３３の下端の直径は光ディスク１０の中心の孔２０の内径と略同一とする。
ローダ１の凹部６の外周には傾斜をなすテーパ３４を備える。
【００２１】
始めに図７に示すように、ローダ１が前方へオープンした状態から図８に示すように、ローダ１が矢印Ａ方向へ引き込まれると、図１１（ａ）、（ｂ）に示すように、ローダ１の凹部６に載置された光ディスク１０がターンテーブル５とクランパ７の間へ移動する。
【００２２】
次に、図８、図９に示すように、ローダ１の前ボス１１および後ボス１２がトラバース部２の前カム１３および後カム１４に噛み合い始めると、図１１（ｂ）、（ｃ）に示すように、スピンドルモータを介してトラバース部２に保持されたターンテーブル５が上昇する。このとき、ローダ１が矢印Ａの方向へ移動すると共にターンテーブル５が矢印Ｃ方向へ上昇することから、図１１（ｃ）に示すように、ターンテーブル５はテーパ３３が光ディスク１０の孔２０の内壁に沿って矢印Ｄ方向へ移動しながら孔２０へ挿入される。
【００２３】
次に、図９、図１０に示すように、トラバース部２が上昇すると、図１２（ａ）、（ｂ）に示すように、ターンテーブル５は光ディスク１０の孔２０を凸部３１によって保持した状態で上昇する。このとき、ローダ１が矢印Ａの方向へ移動すると共にターンテーブル５が矢印Ｃ方向へ上昇することから、図１１（ｃ）に示すように、光ディスク１０は、外周がローダ１のテーパ３４に沿って矢印Ｄ方向へ移動しながらターンテーブル５と共に上昇する。ターンテーブル５が矢印Ｃ方向へ上昇すると、ターンテーブル５の凹部３２がクランパ７の凸部２２に挿入され、ターンテーブル５が矢印Ｃ方向へ上昇するのに伴ってクランパ７も上昇する。このとき、クランパ７はマグネット２３の磁力によってターンテーブル５を吸引する。これにより、図１２（ｂ）に示すように、ターンテーブル５とクランパ７によって、光ディスク１０が狭持される。
以上の構成により、本実施例のディスク再生装置１００は、ローダ１の凹部６に載置した光ディスク１０を筐体４の内部へ移動させ、光ディスク１０に記録されているデータを再生することができる。
【００２４】
以上のように、光ディスク１０を載置して水平方向に移動するローダ１と、光ディスク１０に記録されたデータを読み取る再生手段９を保持したトラバース部２と、ローダ１の動作に連動してトラバース部２を上下動させる駆動手段を具備し、光ディスク１０に記録されたデータを再生する光ディスク再生装置１００において、駆動手段は、ローダ１の移動に伴ってトラバース部２を上下動させるカム機構を備える光ディスク再生装置が構成される。
その一例として、カム機構は、ローダ１に設けられたボス１１、１２と、トラバース部２に設けられ、ボス１１、１２と噛み合うカム１３、１４とから構成される。
【００２５】
また、光ディスク１０を載置して水平方向に移動するローダ１と、光ディスク１０に記録されたデータを読み取る再生手段９を保持したトラバース部２と、ローダ１の動作に連動してトラバース部２を上下動させる駆動手段を具備し、光ディスク１０に記録されたデータを再生する光ディスク再生装置１００において、駆動手段によって上下動駆動されるトラバース部２に載置されるターンテーブル５は、ローダ１の移動に伴って上下動駆動され、ローダ１が完全に引き込んだ状態でクランパ７と共に光ディスク１０を狭持している光ディスク再生装置が構成される。
【００２６】
また、光ディスク１０を載置して水平方向に移動するローダ１と、光ディスク１０に記録されたデータを読み取る再生手段９を保持したトラバース部２と、ローダ１の動作に連動してトラバース部２を上下動させる駆動手段を具備し、光ディスク１０に記録されたデータを再生する光ディスク再生装置１００において、駆動手段によって上下動駆動されるトラバース部２に載置されるターンテーブル５は、ローダ１の引き込み移動に伴って、少なくとも図７に示す最初の段階では静止状態を維持し、図８、９に示す中間の段階では上方向駆動され、そして図１０に示す最終段階ではクランパ７に設けたマグネット２３によって吸引されてクランパ７と共に光ディスク１０を狭持する光ディスク再生装置が構成される。
ターンテーブル５は上方に向かって凸部３１を有し、凸部３１はローダ１の引き込み移動の途中で光ディスク１０の中央部の孔部２０に入り込む構成とされる。
【００２７】
【発明の効果】
本発明によれば、光ディスクのローディング装置において、従来必要であったスライドカムを設けないで済むことになる。
また、装置の構造を簡易化でき、従来の方法であるローダとスライドカムのギアの切替が不要で、ローダの開閉とトラバース部の上下動作が同時に行われるため、光ディスクをローダに載置してから光ディスクを再生するまでの時間を短縮できる。また、ローダとトラバース部をカムによって連動させるためにローダの動作に対してトラバース部の上昇タイミングの精度が向上し、ディスクのチャッキングミスも防止できる。さらに、スライドカムの抹消により、ディスク再生装置を小型化することができる。
【図面の簡単な説明】
【図１】本実施例の光ディスク再生装置のローダの概略構成を示す平面図。
【図２】図１の正面図。
【図３】図１の側面図。
【図４】本実施例の光ディスク再生装置のトラバース部の概略構成を示す平面図。
【図５】図４の正面図。
【図６】図４の側面図。
【図７】本実施例の光ディスク再生装置の構成および動作を示す図。
【図８】本実施例の光ディスク再生装置の構成および動作を示す図。
【図９】本実施例の光ディスク再生装置の構成および動作を示す図。
【図１０】本実施例の光ディスク再生装置の構成および動作を示す図。
【図１１】本実施例の光ディスク再生装置の構成および動作を示す図。
【図１２】本実施例の光ディスク再生装置の構成および動作を示す図。
【符号の説明】
１…ローダ、２…トラバース部（トラバースホルダ）、４…筐体、５…ターンテーブル、６…凹部、７…クランパ、８…孔部、９…再生部、１０…光ディスク、１１（１１ａ、１１ｂ）…前ボス、１２（１２ａ、１２ｂ）…後ボス、１３（１３ａ、１３ｂ）…前カム、１４（１４ａ、１４ｂ）…後カム、２３…磁石（マグネット）、１００…光ディスク再生装置。
【図１】
2004118983.tif 000003
【図２】
2004118983.tif 000004
【図３】
2004118983.tif 000005
【図４】
2004118983.tif 000006
【図５】
2004118983.tif 000007
【図６】
2004118983.tif 000008
【図７】
2004118983.tif 000009
【図８】
2004118983.tif 000010
【図９】
2004118983.tif 000011
【図１０】
2004118983.tif 000012
【図１１】
2004118983.tif 000013
【図１２】
2004118983.tif 000014